(57)【要約】【課題】掛部材をマットレスに取り付ける際の作業者の身体的負担を軽減できる構造を有する寝台装置を提供する。【解決手段】本発明の寝台装置の一つの態様は、マットレス（２０）と、マットレス（２０）に掛けられる掛部材（ＲＳ）を留める留め部材（４０）と、を備え、留め部材（４０）は、掛部材（ＲＳ）を留める留め部（４４）を有し、留め部（４４）は、マットレス（２０）の上面（２０ａ）よりも鉛直方向上側に位置することを特徴とする。【選択図】図１
2017140098.tif 000002
【特許請求の範囲】
【請求項１】
マットレスと、
前記マットレスに掛けられる掛部材を留める留め部材と、
を備え、
前記留め部材は、前記掛部材を留める留め部を有し、
前記留め部は、前記マットレスの上面よりも鉛直方向上側に位置することを特徴とする寝台装置。
【請求項２】
前記留め部は、前記マットレスの上面に位置する、請求項１に記載の寝台装置。
【請求項３】
前記掛部材は、前記マットレスに敷かれる防水シーツである、請求項１または２に記載の寝台装置。
【請求項４】
前記留め部は、前記マットレスの短手方向一方側の端部近傍に位置する、請求項１から３のいずれか一項に記載の寝台装置。
【請求項５】
前記留め部は、第１挟持部と、前記第１挟持部との間で前記掛部材を挟む第２挟持部と、を有する、請求項１から４のいずれか一項に記載の寝台装置。
【請求項６】
前記第１挟持部および前記第２挟持部のうちの少なくとも一方は、前記第１挟持部および前記第２挟持部のうちの他方に向けて突出する突出部を有する、請求項５に記載の寝台装置。
【請求項７】
前記留め部材は、前記マットレスが設置されている設置部と前記マットレスの下面との間に挟まれた台座部を有する、請求項１から６のいずれか一項に記載の寝台装置。
【請求項８】
前記留め部材は、前記台座部から鉛直方向上側に延びる支持部を有し、
前記留め部は、前記支持部の上端に設けられ、
前記支持部は、鉛直方向に伸縮可能である、請求項７に記載の寝台装置。
【請求項９】
前記マットレスが設置されている寝台本体をさらに備え、
前記留め部は、前記掛部材に固定される固定部と、前記寝台本体に係合される係合部と、を有する、請求項１から４のいずれか一項に記載の寝台装置。
【請求項１０】
マットレスに掛けられる掛部材を留める留め部を備え、
前記留め部は、前記マットレスの上面よりも鉛直方向上側において、前記掛部材を留めることを特徴とする留め部材。
【請求項１１】
前記掛部材は、前記マットレスに敷かれる防水シーツである、請求項１０に記載の留め部材。
【発明の詳細な説明】
【技術分野】
【０００１】
本発明は、寝台装置、および留め部材に関する。
【背景技術】
【０００２】
マットレス上に防水シートを被覆して固定する防水シート連結機構が開示されている（例えば、特許文献１）。
【先行技術文献】
【特許文献】
【０００３】
【特許文献１】実用新案登録第３１８７４４６号公報
【発明の概要】
【発明が解決しようとする課題】
【０００４】
上記のような防水シート連結機構では、マットレスの両側面に配設された雄型エレメントと防水シート（掛部材）の両端部に配設された雌型エレメントとを噛み合わせることで、マットレス上に防水シートを固定する。
【０００５】
この固定方法においては、例えば、マットレスが壁際に配置されている場合、マットレスの壁と逆側の位置から、防水シートの壁側の端部に配設された雌型エレメントを、マットレスの壁側の側面に配設された雄型エレメントに噛み合わせる必要がある。この場合、作業者は姿勢を大きく前のめりにする必要があり、作業者の身体的な負担が大きい問題があった。
【０００６】
本発明の一つの態様は、上記問題点に鑑みて、掛部材をマットレスに取り付ける際の作業者の身体的負担を軽減できる構造を有する寝台装置を提供することを目的の一つとする。また、掛部材をマットレスに取り付ける際の作業者の身体的負担を軽減できる留め部材を提供することを目的の一つとする。
【課題を解決するための手段】
【０００７】
（１）本発明の寝台装置の一つの態様は、マットレスと、前記マットレスに掛けられる掛部材を留める留め部材と、を備え、前記留め部材は、前記掛部材を留める留め部を有し、前記留め部は、前記マットレスの上面よりも鉛直方向上側に位置することを特徴とする。
【０００８】
本発明の寝台装置の一つの態様によれば、留め部材の留め部がマットレスの上面よりも鉛直方向上側に位置している。そのため、掛部材をマットレスに取り付ける際、掛部材の両端部のうち少なくとも一方を、マットレスの上面よりも鉛直方向上側において、留め部材を用いてマットレスに対して留めることができる。これにより、寝台装置が壁に寄せて配置される場合に、掛部材の壁側の端部を、壁とマットレスの側面との間に挿し入れることなく、掛部材をマットレスに留めることができる。したがって、作業者は、姿勢を大きく前のめりにすることなく、掛部材をマットレスに取り付けることが可能である。以上により、掛部材をマットレスに取り付ける際の作業者の身体的負担を軽減できる構造を有する寝台装置が得られる。
【０００９】
（２）上記（１）に記載の寝台装置において、前記留め部は、前記マットレスの上面に位置する構成としてもよい。
【００１０】
この構成によれば、作業者は、掛部材を、マットレスの上面上において留め部に留めることができる。これにより、作業者の姿勢が前のめりとなることをより抑制でき、作業者の身体的負担をより軽減できる。また、留め部がマットレスの上面から鉛直方向上側に離れて位置する場合に比べて、掛部材における留め部に留められた部分およびその近傍が、マットレスの上面から浮き上がりにくくできる。
【００１１】
（３）上記（１）または（２）に記載の寝台装置において、前記掛部材は、前記マットレスに敷かれる防水シーツである構成としてもよい。
【００１２】
防水シーツは比較的交換する頻度が多くなりやすいため、作業者の身体的負担が大きくなりやすい。これに対して、上記（１）において述べたように、本発明の寝台装置の一つの態様では、作業者の身体的負担を軽減できる。したがって、上記（１）において述べた効果は、この構成のように掛部材が防水シーツである場合に、特に大きく得られる。
【００１３】
（４）上記（１）から（３）のいずれか一項に記載の寝台装置において、前記留め部は、前記マットレスの短手方向一方側の端部近傍に位置する構成としてもよい。
【００１４】
この構成によれば、短手方向一方側を壁に寄せて寝台装置を配置した場合に、掛部材をマットレスに取り付ける際の作業者の身体的負担を軽減することができる。
また、留め部が、マットレスの短手方向一方側の端部近傍に位置しているため、例えば、留め部が、マットレスの短手方向中央部に位置している場合に比べて、マットレス上の使用者が留め部から受ける違和感などの影響を低減することができる。
【００１５】
（５）上記（１）から（４）のいずれか一項に記載の寝台装置において、前記留め部は、第１挟持部と、前記第１挟持部との間で前記掛部材を挟む第２挟持部と、を有する構成としてもよい。
【００１６】
この構成によれば、第１挟持部と第２挟持部とによって掛部材を挟むことで、掛部材を容易に留め部材に留めることができる。これにより、掛部材のマットレスへの取り付けを容易にできる。また、掛部材をマットレスから取り外す際には、掛部材を引っ張ることで、掛部材を留め部から外すことができる。そのため、掛部材をマットレスから取り外すことが容易である。
【００１７】
（６）上記（５）に記載の寝台装置において、前記第１挟持部および前記第２挟持部のうちの少なくとも一方は、前記第１挟持部および前記第２挟持部のうちの他方に向けて突出する突出部を有する構成としてもよい。
【００１８】
この構成によれば、第１挟持部と第２挟持部とで掛部材を挟んだ際に、突出部が掛部材に食い込む。これにより、掛部材が留め部に対してずれることを抑制できる。したがって、掛部材の使用中に、掛部材がマットレスから外れることを抑制できる。
【００１９】
（７）上記（１）から（６）のいずれか一項に記載の寝台装置において、前記留め部材は、前記マットレスが設置されている設置部と前記マットレスの下面との間に挟まれた台座部を有する構成としてもよい。
【００２０】
この構成によれば、台座部を設置部とマットレスの下面との間に挟むことで、留め部材をマットレスに対して容易に取り付けることができる。これにより、マットレスの種類によらず、マットレスに留め部材を容易に取り付けることができる。また、台座部を設置部とマットレスの下面との間から抜き出すことで、留め部材をマットレスから容易に取り外すことができる。そのため、一度、留め部材をマットレスに取り付けた後であっても、留め部材の取り付け位置を変更することが容易である。
【００２１】
（８）上記（７）に記載の寝台装置において、前記留め部材は、前記台座部から鉛直方向上側に延びる支持部を有し、前記留め部は、前記支持部の上端に設けられ、前記支持部は、鉛直方向に伸縮可能である構成としてもよい。
【００２２】
この構成によれば、マットレスの鉛直方向の寸法が変更された場合であっても、支持部の鉛直方向の寸法を変更することで、留め部の位置をマットレスの上面とすることができる。これにより、マットレスの鉛直方向の寸法によらず、作業者の身体的負担をより軽減することが可能である。
【００２３】
（９）上記（１）から（４）のいずれか一項に記載の寝台装置において、前記マットレスが設置されている寝台本体をさらに備え、前記留め部は、前記掛部材に固定される固定部と、前記寝台本体に係合される係合部と、を有する構成としてもよい。
【００２４】
この構成によれば、留め部材は掛部材に固定され、係合部が寝台本体に係合される。そのため、留め部材を予めマットレスに対して取付けておくことなく、留め部材よって掛部材をマットレスに取り付けることができる。これにより、例えば、寝台装置がすでに壁に寄せて配置済みの状態であっても、寝台装置を再度移動させてマットレスに対して留め部材を取り付ける必要がない。したがって、留め部材を用いる際の作業者の手間を少なくできる。
【００２５】
（１０）本発明の留め部材の一つの態様は、マットレスに掛けられる掛部材を留める留め部を備え、前記留め部は、前記マットレスの上面よりも鉛直方向上側において、前記掛部材を留めることを特徴とする。
【００２６】
本発明の留め部材の一つの態様によれば、上記（１）において述べたのと同様にして、掛部材をマットレスに取り付ける際の作業者の身体的負担を軽減できる。
【００２７】
（１１）上記（１０）に記載の留め部材において、前記掛部材は、前記マットレスに敷かれる防水シーツである。
【００２８】
この構成によれば、上記（３）において述べたのと同様にして、上記（１）において述べた効果を特に大きく得られる。
【発明の効果】
【００２９】
本発明の一つの態様によれば、掛部材をマットレスに取り付ける際の作業者の身体的負担を軽減できる構造を有する寝台装置が提供される。また、掛部材をマットレスに取り付ける際の作業者の身体的負担を軽減できる留め部材が提供される。
【図面の簡単な説明】
【００３０】
【図１】第１実施形態の寝台装置を示す斜視図である。
【図２】第１実施形態の寝台装置の部分を示す図であって、図１におけるIII−III断面図である。
【図３】第１実施形態の防水シーツ留め部材を示す斜視図である。
【図４】第１実施形態の防水シーツ留め部材を用いた防水シーツの取り付け手順を示す図である。
【図５】第１実施形態の防水シーツ留め部材を用いた防水シーツの取り付け手順を示す図である。
【図６】第２実施形態の寝台装置の部分を示す斜視図である。
【発明を実施するための形態】
【００３１】
以下、図面を参照しながら、本発明の実施形態に係る寝台装置について説明する。以下の実施形態では、掛部材が防水シーツ（ラバーシーツ）である場合について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００３２】
また、図面においては、適宜３次元直交座標系としてＸＹＺ座標系を示す。ＸＹＺ座標系において、Ｚ軸方向は、鉛直方向とする。Ｘ軸方向は、Ｚ軸方向と直交する方向であって図１に示す寝台１１の短手方向とする。Ｙ軸方向は、Ｚ軸方向およびＸ軸方向と直交する方向であって寝台１１の長手方向とする。
【００３３】
また、Ｙ軸方向（寝台１１の長手方向）における正の側（＋Ｙ側）を人（使用者）が寝る際に頭が位置する側とし、負の側（−Ｙ側）を足が位置する側とする。以下の説明においては、Ｙ軸方向の正の側（＋Ｙ側）を「頭側Ｈ」と呼ぶ場合があり、Ｙ軸方向の負の側（−Ｙ側）を「足側Ｆ」と呼ぶ場合がある。また、寝台１１の長手方向を「前後方向」と呼ぶ場合があり、寝台１１の短手方向を「左右方向」と呼ぶ場合がある。
【００３４】
また、以下の説明においては、左右方向において、寝台１１に仰向けに寝た使用者の右手が位置する側（−Ｘ側）を「右側」と呼ぶ場合があり、寝台１１に仰向けに寝た使用者の左手が位置する側（＋Ｘ側）を「左側」と呼ぶ場合がある。また、左右方向において、寝台１１の中心に近づく向きを「左右方向内向き」と呼ぶ場合があり、寝台１１の中心から遠ざかる向きを「左右方向外向き」と呼ぶ場合がある。また、ある対象に対して、左右方向における寝台１１の中心に近い側を「左右方向内側」と呼ぶ場合があり、左右方向における寝台１１の中心から遠い側を「左右方向外側」と呼ぶ場合がある。
【００３５】
＜第１実施形態＞
図１は、寝台装置１０を示す斜視図である。図２は、寝台装置１０の部分を示す図であって、図１におけるIII−III断面図である。図３は、防水シーツ留め部材４０を示す斜視図である。
【００３６】
図１に示す本実施形態の寝台装置１０は、例えば、医療環境下（介護環境下を含む）において利用することができる。寝台装置１０は、いわゆるギャッチベッドである。また、寝台装置１０は、電力を動力源とするいわゆる電動ベッドである。
【００３７】
図１の例では、寝台装置１０は、左側（＋Ｘ側）が壁Ｗに寄せられて設置されている。寝台装置１０は、寝台本体１０ａと、マットレス２０と、防水シーツ留め部材（留め部材）４０と、を備える。寝台本体１０ａには、マットレス２０が設置されている。寝台本体１０ａは、寝台１１と、ボード１４と、支持架台１２と、を有する。寝台１１の平面視形状は、例えば、前後方向に長い長方形状である。
【００３８】
ボード１４は、支持架台１２に固定されている。本実施形態においてボード１４は、支持架台１２の前後方向両端部にそれぞれ固定されている。ボード１４は、マットレス２０よりも上側に延びる板状である。ボード１４の前後方向に視た形状は、左右方向に長い長方形状である。
【００３９】
支持架台１２は、寝台１１を支持する。支持架台１２は、付属品取付け部３０と、柵体３１（図４参照）と、を有することができる。付属品取付け部３０は、寝台装置１０の付属品が取り付けられる部分である。本実施形態において付属品取付け部３０には、付属品として柵体３１が着脱自在に取り付けられる。図１においては、柵体３１が取り外された状態を示している。図示は省略するが、付属品取付け部３０は、例えば、支持架台１２の左右方向両端に２つずつ設けられている。付属品取付け部３０には、それぞれ１つずつ柵体３１が着脱自在に取り付けられる。
【００４０】
支持架台１２の右側（−Ｘ側）の端部に配置された２つの付属品取付け部３０は、前後方向に間隔を空けて配置されている。図示は省略するが、支持架台１２の左側（＋Ｘ側）の端部に配置された２つの付属品取付け部３０も、前後方向に間隔を空けて配置されている。支持架台１２の左右方向両端に設けられる付属品取付け部３０は、左右対称である点を除いて、同様の構成である。
【００４１】
寝台装置１０は、図示しない駆動機構をさらに備える。駆動機構は、支持架台１２に取り付けられている。駆動機構は、支持架台１２の少なくとも一部を駆動する。これにより、寝台１１の鉛直方向位置および形状を変更可能である。
【００４２】
マットレス２０は、前後方向に長い直方体状である。マットレス２０は、寝台１１の上面である設置面（設置部）１１ａに設置されている。すなわち、本実施形態においてマットレス２０が設置されている設置部は、寝台１１の設置面１１ａである。マットレス２０の種類は、特に限定されない。図１においては、マットレス２０には、防水シーツ（掛部材）ＲＳが取り付けられている。防水シーツＲＳは、マットレス２０の上面２０ａに敷かれている。防水シーツＲＳは、マットレス２０の上面２０ａのうち足側Ｆ寄りの一部を覆う。なお、防水シーツＲＳは、マットレス２０の上面２０ａの全体を覆ってもよい。防水シーツＲＳは、例えば、寝台装置１０の使用者が失禁した際に尿がマットレス２０に染み込むことを抑制する等の目的で、マットレス２０の上面２０ａに敷かれている。
【００４３】
防水シーツＲＳは、マットレス２０を覆うベッドシーツの上からマットレス２０に取り付けられてもよいし、直接マットレス２０に取り付けられてもよい。防水シーツＲＳが直接マットレス２０に取り付けられる場合には、防水シーツＲＳの上からベッドシーツがマットレス２０に取り付けられてもよい。
【００４４】
防水シーツＲＳは、液体を通さない性質を有する。防水シーツＲＳの構成は、液体を通さないならば、特に限定されない。防水シーツＲＳは、全体が防水性の材質で構成されていてもよいし、表地が吸水性の材質で裏地が防水性の材質で構成されていてもよい。防水性の材質としては、例えば、ゴム、ポリエステル、ポリエチレン、ポリウレタン等が挙げられる。
【００４５】
図１の例では、防水シーツＲＳは、左右方向に長い帯状である。図２に示すように、防水シーツＲＳの右側（−Ｘ側）の端部は、寝台１１の設置面１１ａとマットレス２０の下面２０ｂとに挟まれている。防水シーツＲＳの左側（＋Ｘ側）の端部は、防水シーツ留め部材４０に留められている。
【００４６】
防水シーツ留め部材４０は、防水シーツＲＳをマットレス２０に対して留めることが可能である。本実施形態において防水シーツ留め部材４０は、例えば、マットレス２０の左側（＋Ｘ側）に２つ設けられている。２つの防水シーツ留め部材４０は、前後方向に間隔を空けて設けられている。
【００４７】
図３に示すように、防水シーツ留め部材４０は、台座部４３と、支持部４７と、留め部４４と、を有する。台座部４３は、水平面（ＸＹ平面）に沿って拡がる板状である。台座部４３の平面視形状は、特に限定されず、円形状であっても、多角形状であってもよい。図３の例では、台座部４３の平面視形状は、矩形状である。図２に示すように、台座部４３は、設置面１１ａとマットレス２０の下面２０ｂとに挟まれている。これにより、防水シーツ留め部材４０は、マットレス２０に対して取り付けられている。台座部４３の左右方向外側の端部は、マットレス２０よりも左右方向外側に位置する。
【００４８】
図２および図３に示すように、支持部４７は、台座部４３から鉛直方向上側に延びている。より詳細には、支持部４７は、台座部４３の上面のうち左右方向外側の端部から鉛直方向上側に延びている。図２に示すように、支持部４７は、マットレス２０の左右方向の側面２０ｃに接触している。
【００４９】
支持部４７は、筒状部４１と、スライド部４２と、調整ピン４６と、を有する。筒状部４１は、台座部４３の上面から鉛直方向上側に延びる筒状の部材である。図２および図３の例では、筒状部４１は、角筒状である。筒状部４１は、鉛直方向上側に開口している。筒状部４１には、筒状部４１を左右方向に貫通する筒状部貫通孔４１ａが複数設けられている。複数の筒状部貫通孔４１ａは、鉛直方向に沿って並んで配置されている。図２および図３の例では、筒状部貫通孔４１ａは３つ設けられている。
【００５０】
スライド部４２は、鉛直方向に延びている。スライド部４２は、例えば、角柱状の部材である。スライド部４２の下端は、筒状部４１の鉛直方向上側の開口から筒状部４１の内部に挿入されている。スライド部４２の上端は、鉛直方向において、マットレス２０の上面２０ａとほぼ同じ位置にある。図２に示すように、スライド部４２には、スライド部４２を左右方向に貫通するスライド部貫通孔４２ａが設けられている。
【００５１】
調整ピン４６は、筒状部貫通孔４１ａのうちの一つに挿入されている。図２の例では、複数の筒状部貫通孔４１ａのうち最も鉛直方向下側に位置する筒状部貫通孔４１ａに挿入されている。調整ピン４６は、筒状部４１の内部において、スライド部貫通孔４２ａに通されている。これにより、筒状部４１に対するスライド部４２の鉛直方向位置が固定されている。
【００５２】
調整ピン４６が筒状部貫通孔４１ａから抜かれた状態において、スライド部４２は、筒状部４１に対して鉛直方向に移動可能である。調整ピン４６が抜かれた状態において、スライド部４２を鉛直方向に移動させ、調整ピン４６を挿入する筒状部貫通孔４１ａを変更することで、筒状部４１に対するスライド部４２の鉛直方向位置を変更可能である。これにより、支持部４７の鉛直方向の寸法を変更することができる。このようにして、支持部４７は、鉛直方向に伸縮可能である。図２および図３の例では、支持部４７の鉛直方向の寸法は、３段階に変更可能である。
【００５３】
留め部４４は、防水シーツ留め部材４０のうち、直接的に防水シーツＲＳと接触して防水シーツＲＳを留める部分である。留め部４４は、支持部４７の上端に設けられている。留め部４４は、マットレス２０の左右方向外側（短手方向一方側）の端部近傍に位置する。留め部４４は、マットレス２０の上面２０ａよりも鉛直方向上側に位置する。図２の例では、留め部４４は、マットレス２０の上面２０ａに位置する。
【００５４】
なお、本明細書において「留め部がマットレスの上面よりも鉛直方向上側に位置する」とは、留め部がマットレスの上面の少なくとも一部よりも鉛直方向上側に位置することを含む。すなわち、本明細書において「留め部がマットレスの上面よりも鉛直方向上側に位置する」とは、マットレスの上面の一部が、留め部よりも鉛直方向下側に位置し、マットレスの上面の他の一部が、留め部よりも鉛直方向上側に位置していることを含む。例えば、図２の例では、マットレス２０の上面２０ａにおける留め部４４が接触している部分は、留め部４４よりも鉛直方向下側に位置しているが、マットレス２０の上面２０ａにおける他の部分においては、留め部４４よりも鉛直方向上側に位置していてもよい。
【００５５】
また、本明細書において、「留め部がマットレスの上面に位置する」とは、図２の例のようにマットレス２０の上面２０ａに留め部４４が接触している場合に加えて、留め部４４とマットレス２０との間にマットレス２０を覆うベッドシーツ等が介在する場合も含む。
【００５６】
留め部４４は、ヒンジ部４４ｃと、第１挟持部４４ａと、第２挟持部４４ｂと、を有する。ヒンジ部４４ｃは、支持部４７の上端に設けられている。図３に示すように、ヒンジ部４４ｃは、前後方向に延びている。ヒンジ部４４ｃは、第１挟持部４４ａと第２挟持部４４ｂとを前後方向周り（Ｙ軸周り）に回転可能に支持している。
【００５７】
図２および図３に示すように、第１挟持部４４ａおよび第２挟持部４４ｂは、例えば、長方形の板状である。第１挟持部４４ａおよび第２挟持部４４ｂは、ヒンジ部４４ｃよりも左右方向内側に位置する。第２挟持部４４ｂは、第１挟持部４４ａとの間で防水シーツＲＳを挟む。防水シーツＲＳを挟んだ状態において第１挟持部４４ａは、防水シーツＲＳの鉛直方向上側に位置する。防水シーツＲＳを挟んだ状態において第２挟持部４４ｂは、防水シーツＲＳの鉛直方向下側に位置する。すなわち、本実施形態において第１挟持部４４ａと第２挟持部４４ｂとは、防水シーツＲＳを鉛直方向に挟んでいる。第２挟持部４４ｂは、マットレス２０の上面２０ａと接触している。
【００５８】
図２の例では、第１挟持部４４ａと第２挟持部４４ｂとは、防水シーツＲＳの左側（＋Ｘ側）の端部を挟んでいる。防水シーツＲＳを挟んだ状態において第１挟持部４４ａと第２挟持部４４ｂとは、左右方向に沿って延びている。
【００５９】
本実施形態においては、第１挟持部４４ａおよび第２挟持部４４ｂのうちの少なくとも一方が、第１挟持部４４ａおよび第２挟持部４４ｂのうちの他方に向けて突出する突出部を有する。図３の例では、第２挟持部４４ｂが、突出部４５を有する。突出部４５は、第２挟持部４４ｂにおける第１挟持部４４ａと対向する側の面から第１挟持部４４ａに向けて突出する。突出部４５は、前後方向に延びている。図３の例では、突出部４５は、複数設けられている。複数の突出部４５は、第２挟持部４４ｂの長手方向に沿って並んでいる。突出部４５の前後方向と直交する断面形状（ＺＸ断面形状）は、例えば、半円状である。第１挟持部４４ａと第２挟持部４４ｂとによって防水シーツＲＳを挟んだ状態において、突出部４５は、防水シーツＲＳと接触する。
【００６０】
図示は省略するが、防水シーツ留め部材４０は、ヒンジ部４４ｃに内蔵される巻きバネをさらに有する。巻きバネは、第１挟持部４４ａと第２挟持部４４ｂとに、防水シーツＲＳを挟む向きに弾性力を加える。図２の例では、足側Ｆから頭側Ｈに視た際において、巻きバネは、第１挟持部４４ａに対して、ヒンジ部４４ｃの回転軸を中心として反時計回りの向きに弾性力を加える。足側Ｆから頭側Ｈに視た際において、巻きバネは、第２挟持部４４ｂに対して、ヒンジ部４４ｃの回転軸を中心として時計回りの向きに弾性力を加える。
【００６１】
次に、防水シーツＲＳのマットレス２０に対する着脱方法について説明する。図４および図５は、防水シーツ留め部材４０を用いた防水シーツＲＳの取り付け手順を示す図である。図４は、マットレス２０を鉛直方向上側から鉛直方向下側に視た図である。図５は、断面図である。
【００６２】
図４に示すように、防水シーツＲＳをマットレス２０に取り付ける作業者は、寝台装置１０の壁Ｗとは逆側（右側，−Ｘ側）の位置から、防水シーツＲＳを壁Ｗ側（左側，＋Ｘ側）に向かってマットレス２０の上面２０ａに敷き、防水シーツＲＳの壁Ｗ側の端部を防水シーツ留め部材４０の留め部４４に挟ませる。防水シーツ留め部材４０はマットレス２０に取り付けられているため、留め部４４に防水シーツＲＳの壁Ｗ側の端部を留めることで、作業者は、防水シーツＲＳの壁Ｗ側の端部をマットレス２０に留めることができる。
【００６３】
また、作業者は、図５に示すように、寝台装置１０の壁Ｗとは逆側（右側，−Ｘ側）の位置において、マットレス２０の壁Ｗとは逆側の端部をわずかに持ち上げ、防水シーツＲＳの壁Ｗとは逆側の端部を設置面１１ａとマットレス２０の下面２０ｂとの間に挟み込む。これにより、作業者は、図２に示すように、防水シーツＲＳの壁Ｗとは逆側の端部をマットレス２０に留めることができる。
以上により、作業者は、防水シーツＲＳの左右両端をマットレス２０に対して留めることができ、防水シーツＲＳをマットレス２０に取り付けることができる。
【００６４】
なお、防水シーツＲＳの左右両端をマットレス２０に対して留める順番は特に限定されない。作業者は、防水シーツＲＳの壁Ｗ側の端部を先に留めてから防水シーツＲＳの壁Ｗと逆側の端部を留めてもよいし、防水シーツＲＳの壁Ｗと逆側の端部を先に留めてから防水シーツＲＳの壁Ｗ側の端部を留めてもよい。
【００６５】
防水シーツＲＳをマットレス２０から取り外す際には、作業者は、防水シーツＲＳの壁Ｗと逆側（右側，−Ｘ側）の端部を設置面１１ａとマットレス２０の下面２０ｂとの間から引き抜く。そして、作業者は、寝台装置１０の壁Ｗと逆側の位置から、防水シーツＲＳを壁Ｗから離れる向き（右向き，−Ｘ向き）に引っ張る。これにより、防水シーツＲＳの壁Ｗ側（左側，＋Ｘ側）の端部を防水シーツ留め部材４０の留め部４４から外すことができる。
以上により、作業者は、防水シーツＲＳをマットレス２０から取り外すことができる。
【００６６】
なお、防水シーツＲＳをマットレス２０から取り外す際において、防水シーツＲＳの左右両端を外す順番は特に限定されない。作業者は、防水シーツＲＳの壁Ｗ側の端部を先に外してから防水シーツＲＳの壁Ｗと逆側の端部を外してもよいし、防水シーツＲＳの壁Ｗと逆側の端部を先に外してから防水シーツＲＳの壁Ｗ側の端部を外してもよい。
【００６７】
本実施形態によれば、防水シーツ留め部材４０の留め部４４がマットレス２０の上面２０ａよりも鉛直方向上側に位置している。そのため、防水シーツＲＳをマットレス２０に取り付ける際、防水シーツＲＳの左右方向両端部のうち少なくとも一方を、マットレス２０の上面２０ａよりも鉛直方向上側において、防水シーツ留め部材４０を用いてマットレス２０に対して留めることができる。これにより、図１のように寝台装置１０が壁Ｗに寄せて配置される場合に、防水シーツＲＳの壁Ｗ側の端部を、壁Ｗとマットレス２０の側面２０ｃとの間に挿し入れることなく、防水シーツＲＳをマットレス２０に留めることができる。したがって、作業者は、姿勢を大きく前のめりにすることなく、防水シーツＲＳをマットレス２０に取り付けることが可能である。以上により、防水シーツＲＳをマットレス２０に取り付ける際の作業者の身体的負担を軽減できる構造を有する寝台装置１０が得られる。
【００６８】
また、本実施形態によれば、留め部４４は、マットレス２０の上面２０ａに位置する。そのため、作業者は、防水シーツＲＳの壁Ｗ側の端部を、マットレス２０の上面２０ａ上において留め部４４に留めることができる。これにより、作業者の姿勢が前のめりとなることをより抑制でき、作業者の身体的負担をより軽減できる。また、留め部４４がマットレス２０の上面２０ａから鉛直方向上側に離れて位置する場合に比べて、防水シーツＲＳにおける留め部４４に留められた部分およびその近傍が、マットレス２０の上面２０ａから浮き上がりにくくできる。
【００６９】
また、防水シーツＲＳは比較的交換する頻度が多くなりやすいため、作業者の身体的負担が大きくなりやすい。これに対して、本実施形態では、上述したように作業者の身体的負担を軽減できる。したがって、上述した本実施形態の効果は、掛部材が防水シーツＲＳである場合に、特に大きく得られる。
【００７０】
また、本実施形態によれば、留め部４４は、マットレス２０の短手方向一方側の端部近傍に位置する。そのため、短手方向一方側（左右方向一方側）を壁Ｗに寄せて寝台装置１０を配置した場合に、防水シーツＲＳをマットレス２０に取り付ける際の作業者の身体的負担を軽減することができる。また、例えば、留め部４４が、マットレス２０の短手方向中央部に位置している場合に比べて、マットレス２０上の使用者が留め部４４から受ける違和感などの影響を低減することができる。
【００７１】
また、本実施形態によれば、留め部４４は、第１挟持部４４ａと第２挟持部４４ｂとを有する。そのため、第１挟持部４４ａと第２挟持部４４ｂとによって防水シーツＲＳの端部を挟むことで、防水シーツＲＳを容易に防水シーツ留め部材４０に留めることができる。これにより、防水シーツＲＳのマットレス２０への取り付けを容易にできる。また、防水シーツＲＳをマットレス２０から取り外す際には、防水シーツＲＳを引っ張ることで、防水シーツＲＳを留め部４４から外すことができる。そのため、防水シーツＲＳをマットレス２０から取り外すことが容易である。上述したように、防水シーツＲＳは比較的交換する頻度が多くなりやすいため、防水シーツＲＳの着脱を容易にできることで、作業者の負担を大きく軽減できる。
【００７２】
また、本実施形態によれば、第２挟持部４４ｂが突出部４５を有する。そのため、第１挟持部４４ａと第２挟持部４４ｂとで防水シーツＲＳを挟んだ際に、突出部４５が防水シーツＲＳに食い込む。これにより、防水シーツＲＳが留め部４４に対してずれることを抑制できる。したがって、防水シーツＲＳの使用中に、防水シーツＲＳがマットレス２０から外れることを抑制できる。
【００７３】
また、本実施形態によれば、第１挟持部４４ａと第２挟持部４４ｂとには、図示しない巻きバネによって防水シーツＲＳを挟む向きに弾性力が加えられている。そのため、第１挟持部４４ａと第２挟持部４４ｂとによって防水シーツＲＳをより安定して挟むことができる。これにより、防水シーツＲＳの使用中に、防水シーツＲＳがマットレス２０から外れることをより抑制できる。
【００７４】
また、本実施形態によれば、防水シーツ留め部材４０は、台座部４３を有する。そのため、台座部４３を設置面１１ａとマットレス２０の下面２０ｂとの間に挟むことで、防水シーツ留め部材４０をマットレス２０に対して容易に取り付けることができる。これにより、マットレス２０の種類によらず、マットレス２０に防水シーツ留め部材４０を容易に取り付けることができる。また、台座部４３を設置面１１ａとマットレス２０の下面２０ｂとの間から抜き出すことで、防水シーツ留め部材４０をマットレス２０から容易に取り外すことができる。そのため、一度、防水シーツ留め部材４０をマットレス２０に取り付けた後であっても、防水シーツ留め部材４０の取り付け位置を変更することが容易である。
【００７５】
また、本実施形態によれば、支持部４７は、鉛直方向に伸縮可能である。そのため、マットレス２０の鉛直方向の寸法が変更された場合であっても、支持部４７の鉛直方向の寸法を変更することで、留め部４４の位置をマットレス２０の上面２０ａとすることができる。これにより、マットレス２０の鉛直方向の寸法によらず、作業者の身体的負担をより軽減することが可能である。
【００７６】
なお、本発明は上述の実施形態に限られず、他の構成を採用することもできる。以下の説明において上記説明と同様の構成については、適宜同一の符号を付す等により説明を省略する場合がある。
【００７７】
防水シーツ留め部材４０の数は、特に限定されず、１つあってもよいし、３つ以上であってもよい。防水シーツ留め部材４０の数が多い程、防水シーツＲＳをマットレス２０に対して、より安定して取り付けることができる。
【００７８】
また、防水シーツ留め部材４０は、マットレス２０の左右方向両側に設けられてもよい。この場合、マットレス２０の左右方向両側に設けられた防水シーツ留め部材４０によって、防水シーツＲＳの左右方向両端をそれぞれ挟んでもよい。
【００７９】
また、第２挟持部４４ｂは、ヒンジ部４４ｃに対して固定されていてもよい。この場合、第２挟持部４４ｂは左右方向に沿って延びた状態として、第１挟持部４４ａのみがヒンジ部４４ｃに回転可能に支持されてもよい。
【００８０】
また、第１挟持部４４ａが突出部を有していてもよい。この場合、突出部は、第１挟持部４４ａの第２挟持部４４ｂと対向する側の面から第２挟持部４４ｂに向けて突出する。また、第１挟持部４４ａと第２挟持部４４ｂとの両方が突出部を有していてもよいし、第１挟持部４４ａと第２挟持部４４ｂとの両方が突出部を有していなくてもよい。
【００８１】
また、支持部４７の構成は、鉛直方向に伸縮可能であれば、特に限定されない。支持部４７の鉛直方向の寸法は、４段階以上に変更できてもよいし、無段階に変更できてもよい。
【００８２】
また、防水シーツ留め部材４０は、マットレス２０に対して直接的に固定されていてもよい。防水シーツ留め部材４０のマットレス２０に対する固定方法は、特に限定されない。例えば、防水シーツ留め部材４０の一部がマットレス２０の内部に埋め込まれていてもよい。
【００８３】
また、支持架台１２は、付属品取付け部３０および柵体３１を有していなくてもよい。
【００８４】
＜第２実施形態＞
第２実施形態は、第１実施形態に対して、防水シーツ留め部材（留め部材）１４０が防水シーツＲＳに固定される点において異なる。図６は、本実施形態の寝台装置１１０を示す斜視図である。図６においては、支持架台１２の壁Ｗ側（左側，＋Ｘ側）の端部に設けられた付属品取付け部３０に柵体３１が取り付けられている状態を示している。
【００８５】
図６に示すように、柵体３１は、前後方向に沿って延びている。柵体３１は、鉛直方向に延びる複数の格子部材３１ａを有する。複数の格子部材３１ａは、前後方向に沿って並んでいる。
【００８６】
本実施形態においては、防水シーツ留め部材１４０の全体が、留め部に相当する。防水シーツ留め部材１４０は、防水シーツＲＳの壁Ｗ側（左側，＋Ｘ側）の端部に固定されている。防水シーツ留め部材１４０は、マットレス２０の上面２０ａよりも鉛直方向上側に位置する。図６の例では、防水シーツ留め部材１４０は、例えば、２つ設けられている。防水シーツ留め部材１４０は、固定部１４１と、係合部１４２と、を有する。固定部１４１は、防水シーツＲＳに固定される部分である。防水シーツＲＳと固定部１４１との固定方法は、特に限定されない。本実施形態において固定部１４１は、防水シーツＲＳの壁Ｗ側（左側，＋Ｘ側）の端部に固定されている。
【００８７】
係合部１４２は、寝台本体１０ａに係合される部分である。係合部１４２の形状は、寝台本体１０ａに係合可能であれば、特に限定されない。本実施形態において係合部１４２は、例えば、フック状である。本実施形態においては、係合部１４２は、柵体３１の格子部材３１ａに係合される。本実施形態において防水シーツ留め部材１４０は単一の部材であり、固定部１４１と係合部１４２とは一体的に設けられている。
【００８８】
本実施形態において、防水シーツＲＳをマットレス２０に取り付ける作業者は、寝台装置１０の壁Ｗとは逆側（右側，−Ｘ側）の位置から、防水シーツＲＳを壁Ｗ側（左側，＋Ｘ側）に向かってマットレス２０の上面２０ａに敷き、防水シーツＲＳの壁Ｗ側の端部に取り付けられた防水シーツ留め部材１４０の係合部１４２を格子部材３１ａに係合させる。柵体３１はマットレス２０が設置されている寝台本体１０ａの一部である。そのため、作業者は、柵体３１に係合部１４２を係合させることで、寝台本体１０ａを介して防水シーツＲＳの壁Ｗ側の端部をマットレス２０に留めることができる。
【００８９】
また、作業者は、寝台装置１０の壁Ｗとは逆側（右側，−Ｘ側）の位置において、防水シーツＲＳの壁Ｗとは逆側の端部を設置面１１ａとマットレス２０の下面２０ｂとの間に挟み込む。これにより、作業者は、防水シーツＲＳをマットレス２０に取り付けることができる。
【００９０】
なお、第１実施形態と同様に、防水シーツＲＳの左右両端をマットレス２０に対して留める順番は特に限定されない。また、防水シーツＲＳをマットレス２０から取り外す際についても、第１実施形態と同様に、防水シーツＲＳの左右両端をマットレス２０から外す順番は特に限定されない。
【００９１】
本実施形態によれば、防水シーツ留め部材１４０は防水シーツＲＳに固定され、係合部１４２が格子部材３１ａに係合される。そのため、防水シーツ留め部材１４０を予めマットレス２０に対して取付けておくことなく、防水シーツ留め部材１４０によって防水シーツＲＳをマットレス２０に取り付けることができる。これにより、例えば、寝台装置１１０がすでに壁Ｗに寄せて配置済みの状態であっても、寝台装置１１０を再度移動させてマットレス２０に対して防水シーツ留め部材１４０を取り付ける必要がない。したがって、防水シーツ留め部材１４０を用いる際の作業者の手間を少なくできる。
【００９２】
なお、係合部１４２が係合される箇所は、寝台本体１０ａの部分であれば、柵体３１でなくてもよい。係合部１４２は、例えば、寝台１１の一部に係合されてもよいし、支持架台１２の一部に係合されてもよい。
【００９３】
上記第１実施形態および第２実施形態で示したように、本明細書において「掛部材を留める留め部」とは、作業者によって掛部材を留められることでマットレスに対して掛部材を留めることができる部分と、作業者によって寝台本体に留められることでマットレスに対して掛部材を留めることができる部分と、を含む。
【００９４】
なお、防水シーツ留め部材の構成は、上述した第１実施形態および第２実施形態に限られず、マットレス２０の上面２０ａよりも鉛直方向上側において防水シーツＲＳを留める留め部を有するならば、特に限定されない。例えば、防水シーツ留め部材は、マットレス２０の上面２０ａと防水シーツＲＳの下面との両方に設けられる面ファスナーであってもよい。この構成においては、マットレス２０の上面２０ａに設けられた面ファスナーと、防水シーツＲＳの下面に設けられた面ファスナーとを合わせることで、マットレス２０に防水シーツＲＳを留めることができる。
【００９５】
また、防水シーツ留め部材の留め部は、マットレス２０の上面２０ａよりも鉛直方向上側にあるならば、マットレス２０の上面２０ａと接触していてもよいし、離れていてもよい。また、留め部は、鉛直方向上側から鉛直方向下側に向かって視た際に、マットレス２０の上面２０ａと、全体が重なっていてもよいし、一部のみが重なっていてもよいし、全体が重なっていなくてもよい。
【００９６】
また、上記実施形態では、留め部材を、防水シーツＲＳをマットレス２０に対して留めることが可能な防水シーツ留め部材４０としたが、これに限られない。留め部材は、マットレス２０に掛けられる掛部材をマットレス２０に対して留めることができるならば、特に限定されない。掛部材は、マットレス２０に掛けられるならば、特に限定されず、例えば、シーツや、ベッドスロー（ベッドライナー）等であってもよい。
【００９７】
なお、本発明は、上記説明した寝台装置に限られず、いかなる寝台装置に適用されてもよい。本発明は、手動式のギャッチベッドに適用されてもよいし、寝台の高さ調整等ができないベッドに適用されてもよい。また、本発明が適用される寝台装置は、寝台１１および支持架台１２を備えていなくてもよい。この場合、マットレス２０が床面に設置されていてもよい。また、この場合、マットレス２０が設置されている設置部は、床面である。
【００９８】
また、上記の各構成は、相互に矛盾しない範囲内において、適宜組み合わせることができる。
【符号の説明】
【００９９】
１０，１１０…寝台装置、１０ａ…寝台本体、１１…寝台、１１ａ…設置面（設置部）、２０…マットレス、２０ａ…上面、２０ｂ…下面、４０…防水シーツ留め部材（留め部材）、４３…台座部、４４…留め部、４４ａ…第１挟持部、４４ｂ…第２挟持部、４５…突出部、４７…支持部、１４０…防水シーツ留め部材（留め部材、留め部）、１４１…固定部、１４２…係合部、ＲＳ…防水シーツ（掛部材）
【図１】
2017140098.tif 000003
【図２】
2017140098.tif 000004
【図３】
2017140098.tif 000005
【図４】
2017140098.tif 000006
【図５】
2017140098.tif 000007
【図６】
2017140098.tif 000008